(57)【要約】第１および第２のチャネルを含む２つの回線対（１６ａ；１６ｂ）を備えた装置は、さらに、回線を物理的に設置することなく第３のチャネルを実現するように実装されたファントムチャネルを含んでいる。差動信号に基づいて、差動増幅回路の第１の出力には第１の共通モード信号レベル（３３ａ）、第２の出力には第２の共通モード信号レベル（３３ｂ）がそれぞれ生成され、第１の共通モード信号レベル（３３ａ）は第１の回線対（１６ａ）の回線へ印加され、第２の共通モード信号レベルは第２の回線対（１６ｂ）の回線へ印加される。抽出回路（３９）は第１の回線対（１６ａ）の回線上と第２の回線対（１６ｂ）の回線上の共通モード部分を抽出するように実装されている。【選択図】  図１
2016519543.tif 000002
【特許請求の範囲】
【請求項１】
第１の差動信号を伝送するように実装された第１の回線対（１６ａ）と、
第２の差動信号を伝送するように実装された第２の回線対（１６ｂ）と、
第３の信号に基づいて第１の出力には第１の共通モード信号レベル（３３ａ）、第２の出力には第２の共通モード信号レベル（３３ｂ）をそれぞれ生成し、かつ前記第１の共通モード信号レベル（３３ａ）を前記第１の回線対（１６ａ）の回線（４６ａ；４６ｂ）へ印加し、前記第２の共通モード信号レベル（３３ｂ）を前記第２の回線対（１６ｂ）の回線へ印加するように実装された差動増幅回路と、
前記第１の回線対（１６）の前記回線（４６ａ；４６ｂ）上と前記第２の回線対（１６ｂ）の前記回線上の共通モード部分を抽出するための、トランスデューサを備えていない抽出回路（３９）と、を備えた装置。
【請求項２】
前記第１の信号および前記第２の信号を一方向へ伝送し、前記第３の信号を反対方向へ伝送するように実装された出力ドライバ（１４ａ；１４ｂ；２８ａ；２８ｂ）および入力ドライバ（１６ａ；１６ｂ）を備えている請求項１に記載の装置。
【請求項３】
前記抽出回路（３９）は差動増幅器（３８）を含んでいる請求項１又は２に記載の装置。
【請求項４】
前記抽出回路（３９）の前記差動増幅器（３８）は、前記第１の共通モード部分（３３ａ）および前記第２の共通モード部分（３３ｂ）の一部の差を増幅するように実装されている請求項３に記載の装置。
【請求項５】
前記第１の回線対（１６ａ）の前記回線（４６ａ；４６ｂ）は撚られて対になり、前記第２の回線対（１６ｂ）の前記回線も撚られて対になっている請求項１から４のいずれか一項に記載の装置。
【請求項６】
前記第１の回線対（１６ａ）と前記第２の回線対（１６ｂ）の前記回線（４６ａ；４６ｂ）は共通の撚りを含んでいる請求項１から４のいずれか一項に記載の装置。
【請求項７】
第１の差動信号を第１の回線対（１６ａ）を介して伝送するステップと、
第２の差動信号を第２の回線対（１６ｂ）を介して伝送するステップと、
差動増幅回路を用い前記信号に基づいて第１の出力には第１の共通モード信号レベル（３３ａ）、第２の出力には第２の共通モード信号レベル（３３ｂ）をそれぞれ生成し、かつ前記第１の共通モード信号レベル（３３ａ）を前記第１の回線対（１６ａ）の回線（４６ａ、４６ｂ）へ印加し、前記第２の共通モード部分（３３ｂ）を前記第２の回線対（１６ｂ）の回線へ印加するステップと、
トランスデューサを備えていない抽出回路（３９）によって、前記第１の回線対（１６ａ）の前記回線（４６ａ；４６ｂ）上および前記第２の回線対（１６ｂ）の前記回線上の共通モード部分を抽出するステップと、を含む信号伝送方法。
【発明の詳細な説明】
【技術分野】
【０００１】
本発明は、第１と第２の回線対をもち、３つの信号を送信するための装置に関する。
【背景技術】
【０００２】
有線式のデータ伝送システムにおいて、双方向データ伝送は、伝送媒体として別々のケーブル対をそれぞれ前方向チャネルと戻りチャネル（又は送信チャネルと受信チャネル）へ割り当てるか、又は送受信を１つのケーブル対上で全二重通信により同時に実行するか、もしくは半二重通信により時間的に変化させながら実行するかの何れかによって達成される。全ての解決策において、ケーブル対毎の伝送量は一方向に最大１つのデータストリームであり、これが全二重通信においては同時に、半二重通信においては時間的に変化させながら実行される。物理チャネルの追加を実現するために別のケーブル対が使用されるのであれば、別のケーブル対は各方向へデータを伝送するために連続的に使用することができる。
【０００３】
これらの既知のデータ伝送システムにおいて、ケーブルシステムの容量は完全には使用されない。戻りチャネルを必要とするシステムを実現するに当たっては、システム容量を低減させる独立したケーブル対による半二重通信と、多大な技術的努力を要する全二重伝送の実現との間で選択が行われる。しかしながら、独立したケーブル対を実装(implement)してさらなるデータチャネルを提供するためには、財政的努力および／又は材料使用量が膨大になることがある。さらに、従来の解決策は、ケーブルが高損失性であり、かつおそらくは周波数特性に極大減衰を含むことから、帯域幅に制限がある。
【０００４】
隣接する幾つかの差動チャネルの伝送速度を拡大するために、トランスデューサにより部分的に分離される共通モード信号部分を隣接する差動信号経路を介して伝送することによって、ファントムチャネルを実装することができる。
【０００５】
図２は２つの双方向差動チャネル１２’ａと１２’ｂをもつ先行技術による装置２０を示す。チャネル１２’ａは１つの回線対１６ａを含み、チャネル１２’ｂは１つの回線対１６ｂを含み、回線対１６ａの両端にはそれぞれ１つのトランスデューサ４４ａ又は４４ｂが配置され、回線対１６ｂの両端にはそれぞれ１つのトランスデューサ４４ｃおよび４４ｄが配置されている。
【０００６】
トランスデューサ４４ａ−ｄは、トランスデューサ４４ａ−ｄの一次側において一次側に隣接して配置された通信ポイント１３ａ−ｄから受信した信号を変換し、かつ変換した信号を二次側に配置された回線対１６ａ又は１６ｂへ印加するように実装されている。その結果、印加された信号は、回線対１６ａ又は１６ｂの回線を通ってさらなるトランスデューサ４４ａ−ｄの二次側へ差動的に印加される。さらに、トランスデューサ３３ａ−ｄは、二次側へ印加された差動信号を変換し、かつこれを一次側でトランスデューサ４４ａ−ｄに隣接して配置された通信ポイント１３ａ−ｄに与えるように実装されているので、通信ポイント１３ａ−ｄはこの与えられた信号を受信する。通信ポイント１３ａ−ｅは、信号を送信又は受信するように実装されている。
【０００７】
トランスデューサ４４ａ−ｄは、回線対１６ａおよび１６ｂの回線間の矢印が示すように、チャネル１２’ａおよび１２’ｂを介する信号の双方向伝送を可能にする。信号伝送は差動的に実行されるので、トランスデューサ４４ａ−ｄにより回線対１６ａおよび１６ｂを介して伝送される信号は共通モードフリーである（即ち、共通モード成分を持たない）。
【０００８】
ファントムチャネル２６’は、２つのトランスデューサ４４ｅおよび４４ｆを含み、これらは、それぞれのトランスデューサ４４ｅ又は４４ｆの二次側の巻き端がチャネル１２’ａおよび１２’ｂのトランスデューサ４４ａ−ｄのそれぞれの二次側の捲回中心へ結合されので、トランスデューサ４４ａの二次側の第１の巻き端はトランスデューサ４４ａの二次側の捲回における中央タップを形成し、トランスデューサ４４ｅの二次側の第２の巻き端はトランスデューサ４４ｃの二次側の捲回における中央タップを形成する。トランスデューサ４４ｂおよび４４ｄとトランスデューサ４４ｓとの結合は、トランスデューサ４４ａおよび４４ｃとトランスデューサ４４ｅとの結合と対称をなす。
【０００９】
トランスデューサ４４ｅ又は４４ｆはそれぞれの一次側において通信ポイント１３ｅ又は１３ｆから受信した信号を変換するように実装され、トランスデューサ４４ｅおよび４４ｆのそれぞれの二次側とチャネル１２’ａおよび１２’ｂのトランスデューサとの結合は通信ポイント１３ｅ又は１３ｆからの信号が回線対１６ａ又は１６ｂの回線へ共通モード信号として印加されるという効果を有し、第１の共通モード信号レベルは回線対１６ａへ印加され、第１の共通モード信号レベルとは逆の第２の共通モード信号レベルは回線対１６ｂへ印加される。
【００１０】
トランスデューサ４４ｅおよび４４ｆと差動チャネル１２’ａおよび１２’ｂとの結合によって、差動信号が、互いに逆の２つの共通モード信号レベルへ変換されて、チャネル１２’ａおよび１２’ｂへ印加された差動信号のレベルへ追加される。共通モード信号レベルを互いに逆転させることにより、再び、全チャネルの合計に関する差動データ伝送が生じる。全回線を合計して考えれば、この信号もやはり共通モードフリーである。
【００１１】
それらの中央タップは共通モード信号レベルからの差動信号の部分を分離するので、トランスデューサ４４ｅおよび４４ｆの二次側における共通モード信号レベルをいっしょにすることによって、通信ポイント１３ｅおよび１３ｆではファントムチャネルを介して伝送された差動信号の復元が行われる。トランスデューサ４４ａ−ｄは共通モード信号レベルをその配線に基づいて除外するので、それぞれのトランスデューサ４４ａ−ｄの一次側には、チャネル１２’ａ又は１２’ｂを介して伝送された差動信号が、ファントムチャネル２６’を介して伝送された信号に影響されることなく発生する。
【００１２】
先行技術によるこの実装の欠点は、信号の変換又は増幅がトランスデューサ、延てはトランスフォーマによって実行されることにある。トランスデューサやトランスフォーマは、設置スペース、装置１台あたりのコスト、エネルギー効率およびＥＭＣ特性の面で不利である。
【発明の概要】
【発明が解決しようとする課題】
【００１３】
本発明の目的は、３つの信号を単純な構造で伝送できるようにする損失の少ない装置および方法を提供することにある。
【課題を解決するための手段】
【００１４】
この目的は、請求項１に記載されている装置、および請求項８に記載されている方法によって達成される。
【００１５】
実施形態が提供する装置は、
第１の差動信号を伝送するように実装された第１の回線対と、
第２の差動信号を伝送するように実装された第２の回線対と、
第３の信号に基づいて第１の出力には第１の共通モード信号レベル、第２の出力には第２の共通モード信号レベルをそれぞれ生成し、かつ第１の共通モード信号レベルを第１の回線対の回線へ印加し、第２の共通モード信号レベルを第２の回線対の回線へ印加するように実装された差動増幅回路と、
第１の回線対の回線上および第２の回線対の回線上の共通モード部分を抽出するための抽出回路と、を備えている。
【００１６】
本発明の実施形態における発見は、差動増幅回路を有する異なる回線対の回線へ共通モード信号レベルを印加し、かつ共通モード部分を抽出することにより、追加のチャネルを低損失で、かつトランスデューサにおいて発生する不利益なしに提供できることにある。
【００１７】
これらの発明の優位点は、追加的に生成されたチャネルが戻りチャネルとして使用できるので、戻りチャネルを元のチャネルの容量を損失することなく元の一方向通信システム用に利用できること、および戻りチャネルがＥＭＣ（電磁両立性(electromagnetic compatibility)）に関して優れた特性を有するとともに、前方向チャネルと戻りチャネルとのチャネル分離の単純な技術的実現を可能にすること、にある。
【００１８】
ある実施形態によれば、それぞれが差動信号を伝送する２つのチャネルを拡張し、第３の差動信号が並列接続の２つの差動増幅器の入力へ印加され、それらの差動増幅器の出力が、先の２つの差動信号に加えて第３の信号が共通モード信号形式で元のチャネルの回線へ印加されるように元のチャネルの回線へ結合されるようにして、ファントムチャネルが生成される。抽出回路は、電圧分割器を用いて２つの差動チャネルから共通モード信号部分をフィルタリングし、かつフィルタリングした共通モード信号レベルを、タップ用の第３の差動信号を与える出力を有する差動増幅器の入力へ印加する。
【００１９】
これらの実施形態の優位点は、データを一方向へ伝送するように適用された回線対を用いて戻りチャネルを提供することができるので、新たな物理的回線を設置する必要なしに双方向通信を達成できることにある。戻りチャネルの実現には差動増幅器が使用されるが、これは、ＥＭＣ、設置スペースおよび費用効率の点で有利である。
【００２０】
本実施形態のさらなる優位点は、前方向チャネルと戻りチャネルとの分離の実現が技術的に容易であること、戻りチャネルの使用が前方向チャネルのデータ容量を減じないこと、又は、全二重データ伝送との組合せによりデータ伝送システムの全体容量の増大が可能であること、かつ、撚られたケーブルシステム、例えば２対、４対又は８対を有する星形カッド配線又は撚られた２線回線、において優れたＥＭＣ特性を得られること、にある。
【００２１】
効果的なさらなる実施形態は、従属クレームの主題となっている。
【図面の簡単な説明】
【００２２】
【図１】２つのチャネルと１つのファントムチャネルとを有する装置を示す略図であり、ファントムチャネルは差動増幅器を含んでいる。
【図２】トランスデューサを含む先行技術による装置を示す略図である。
【図３】撚られたケーブル対を示す略図である。
【発明を実施するための形態】
【００２３】
以下、添付の図面を参照して、本発明の好適な実施形態について論じる。
【００２４】
図１は２つのチャネル１２ａと１２ｅを有する装置１０を示し、それらの２つのチャネルのそれぞれは出力ドライバ１４ａ又は１４ｂと、差動回線対１６ａ又は１６ｂと、入力ドライバ１８ａ又は１８ｂとを含んでいる。第１の差動回線対１６ａは通信ポイント１３ａからの第１の信号を通信ポイント１３ｂへ伝送するように実装され、第２の差動回線対は通信ポイント１３ｃからの第２の差動信号を通信ポイント１３ｄへ伝送するように実装されている。
【００２５】
出力ドライバ１４ａ又は１４ｂはそれぞれ、終端抵抗器２４ａおよび２４ｂ又は２４ｃおよび２４ｃを駆動する演算増幅器の形式の差動電流ドライバ２２ａ又は２２ｂを含む。出力ドライバ１４ａおよび１４ｂは通信ポイント１３ａ又は１３ｃの出力を駆動し、かつ通信ポイント１３ａ又は１３ｃから受信した信号を変換、例えば増幅又は平滑化して、それをそれぞれの回線対１６ａ又は１６ｂへ印加するように実装されている。
【００２６】
差動入力ドライバ１８ａ又は１８ｂはそれぞれの差動回線対１６ａ又は１６ｂから信号を受信し、かつそれを処理するように実装されている。図１の実施形態において、信号伝送は、矢印が示すように出力ドライバ１４ａ又は１４ｂから入力ドライバ１８ａ又は１８ｂへ向かって実行される。
【００２７】
ファントムチャネル２６は２つの出力ドライバ２８ａと２８ｂを含み、それらは入力側で通信ポイント１３ｆからの第３の信号を受信し、出力側でそれを増幅するように実装されている。ファントムチャネル２６の出力ドライバ２８ａと２８ｂの出力は、それぞれ、第１の極性の１つの信号３２ａ又は３２ｂと第２の極性の１つの信号３４ａ又は３４ｂを出力するように実装され、それらの信号はそれぞれ同じ極性を有する出力対へと結合されている。出力ドライバ２８ａ又は２８ｂの出力の第１の極性３２ａ又は３２ｂは第１の共通モード信号レベル３３ａを形成し、出力ドライバ２８ａ又は２８ｂの出力の第２の極性３４ａ又は３４ｂは第２の共通モード信号レベル３３ｂを形成する。第１の共通モード信号レベル３３ａはチャネル１２ａの差動回線対１６ａへ印加されるが、この場合、第１の極性３２ａは差動回線対１６ａの第１の回線へ接続され、第１の極性３２ｂは第２の回線へ接続される。第２の共通モード信号レベルはチャネル１２ｂの差動回線対１６ｂへ印加されるが、この場合、第２の極性３４ａは差動回線対１６ｂの第１の回線へ接続され、第２の極性３４ｂは第２の回線へ接続される。ファントムチャネル２６の出力ドライバ２８ａおよび２８ｂの対称的な回路構造により、この装置は、出力ドライバ２８ａおよび２８ｂの入力へ信号を印加すると、それぞれが同一の信号３２ａと３２ｂ又は３４ａと３４ｂを出すように実装されている。
【００２８】
動作中に差動回線対１６ａの回線への第１の極性３２ａと３２ｂの印加は、差動回線対１６ａの回線へ印加された差動信号に第１の共通モード信号レベル３３ａの形式のオフセットが与えられるという効果を有する。同様に、差動回線対１６ｂへ印加された第２の差動信号には、第２の共通モード信号レベル３３ｂの形式のオフセットが与えられる。
【００２９】
差動チャネル１２ａ又は１２ｂのチャネル品質は依然として影響を受けない。というのは、差動増幅器の形式である入力ドライバ１８ａおよび１８ｂが、出力ドライバ１４ａ又は１４ｂにより回線対１６ａ又は１６ｂの回線へ印加された差動信号とファントムチャネルの共通モード信号レベルとの分離を、単に回線対１６ａ又は１６ｂの２回線間の差分を増幅することによって共通モードを抑制するように実行するからである。第１又は第２の共通モード信号レベル３３ａ又は３３ｂによるオフセットは、それぞれの差動信号の信号レベルの差に影響せず、入力ドライバ１８ａおよび１８ｂにおいて除外される。これは差動チャネル１２においてファントムチャネル２６を抑制することであり、これにより追加的なエコーの消去が不必要になる。
【００３０】
ファントムチャネル２６の受信機側には抽出回路３９が配置されており、抽出回路３９は２つの抵抗分割器３６ａ、３６ｂ、差動増幅器３８、および抵抗分割器３６ａ、３６ｂの出力を差動増幅器３８の入力へ接続する２つの回線４０ａ、４０ｂを備えている。抽出回路３９は、ファントムチャネルを介して伝送された信号を抽出し、かつチャネル１２ａと１２ｂの差動信号を抑制するように実装されている。差動増幅器３８は、抵抗分割器３６ａと３６ｂの出力から与えられた電位の差を増幅するように実装され、抵抗分割器３６ａは差動回線対１６ａの回線間に配置され、抵抗分割器３６ｂは差動回線対１６ｂの回線間に配置されている。抵抗分割器３６ａの出力信号と抵抗分割器３６ｂの出力分割器は、ファントムチャネル２６の差動増幅器３８の第１と第２の入力へ印加される。
【００３１】
抵抗分割器３６ａと３６ｂのそれぞれの出力は差動回線対１６ａと１６ｂへ印加された信号のそれぞれの平均値を与えるので、それらの互いに対する逆転によってその差動信号部分が抑制され、かつ共通モード信号レベル３３ａ又は３３ｂにより形成されたオフセットの半量が抵抗分割器３６ａと３６ｂのそれぞれの出力において与えられ、こうして、共通モード信号の形式の共通モード信号が除外される。抵抗分割器３６ａと差動増幅器３８との間の回線４０ａ上の信号の電位は共通モード信号レベル３３ａの電位の半分に相当し、抵抗分割器３６ｂと差動増幅器３８との間の回線４０ｂ上の信号の電位は共通モード信号レベル３３ｂの電位の半分に相当する。第１および第２の共通モード信号レベル３３ａおよび３３ｂ間の差に含まれる第３の信号の情報は、双方の電位を半分に分割する際に保持される。
【００３２】
出力において、入力ドライバ３８は通信ポイント１３ｅの入力へ結合されているので、通信ポイント１３ｅはファントムチャネル２６を介して伝送された信号を受信し、かつ通信ポイント３０ｅの入力を駆動するように実装されている。ファントムチャネル２６の情報伝送方向は差動チャネル１２ａと１２ｂの情報伝送方向の反対であるので、ファントムチャネル２８はチャネル１２ａと１２ｂに対する戻りチャネルを形成する。
【００３３】
ファントムチャネル２６は、そのデータを共通モード信号レベル３３ａと３３ｂを介して差動回線対１６ａと１６ｂの回線上へ伝送する。双方の共通モード信号レベル３３ａと３３ｂは互いに対して逆転されており、すなわち、この場合も、２つの回線対１６ａ、１６ｂ間では差動データ伝送が行われる。全回線を通じて考えれば、この信号はやはり共通モードフリーである。
【００３４】
チャネル１２ａおよび１２ｂならびにファントムチャネル２６の伝送方向は、入力および出力ドライバ１４ａ、１４ｂ、１８ａ、１８ｂ、２８ａおよび２８ｂならびに抽出回路３９の配線によって任意に実現することができるので、チャネル１２ａおよび１２ｂの方向が反対の両方の信号伝送が可能であり、ファントムチャネル２６が２方向のうちの一方において伝送容量の増大をもたらし、ファントムチャネルの信号伝送をチャネル１２ａおよび１２ｂと同じ方向に実行することができ、かつファントムチャネル２６が一方向伝送システムの容量を達成する。
【００３５】
上述の説明の代替として、全二重又は半二重動作での伝送が使用されれば、チャネル１２ａおよび１２ｂを介して信号を双方向式に伝送することができる。この場合、同じく双方向性であるファントムチャネル２６はシステムの全体容量を増大する。全二重動作の場合、容量は５０％増大する結果となる。
【００３６】
先行技術とは反対に、ファントムチャネル２６と差動チャネル１２ａおよび１２ｂとの分離にトランスデューサは使用されない。さらに、通信システムの戻りチャネルをファントムチャネル２６として具体的に実現することにより、回路工学的に有利になる。というのは、このことが、全ての芯の対にわたって最大データ速度を主要なチャネル１２ａと１２ｂで利用可能にするからである。
【００３７】
特に、星形四重ケーブルを用いる場合、但し、２つ以上のケーブル対を有する撚られたケーブル対の場合でも、ファントムチャネルは、外部から考察した場合に差動的に実行され、かつ放射を低減した、又は撚りに起因するスプリアス放射に対する感受性を低減したデータ伝送を可能にする。
【００３８】
図３は、２つの回線４６ａおよび４６ｂを含む差動回線対１６ａを示す。特に差動信号の場合、撚られた回線には信号減衰に対して優位点がある。というのは、前方向チャネルにより発生される電界又は磁界が、前方向チャネルと共に撚られた戻りチャネルの電界又は磁界によってその戻りチャネルにより補償されるからである。
【００３９】
代替実施形態は、幾つかの撚られた芯の対を備えているチャネル、又は幾つかの芯がいっしょに撚られたチャネルを含む。
【００４０】
これまでに述べた実施形態は、単に、本発明の原理を例示したものである。他の当業者にとって、本明細書に記述されている配置および詳細に対する変更および変形が明らかとなることは明白である。したがって、意図するところは、本発明は実施形態の記述および説明に基づいて本明細書に提示されている具体的な詳細ではなく、添付の請求の範囲によってのみ限定されることにある。
【図１】
2016519543.tif 000003
【図２】
2016519543.tif 000004
【図３】
2016519543.tif 000005
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
第１の差動信号を伝送するように実装された第１の回線対（１６ａ）と、
第２の差動信号を伝送するように実装された第２の回線対（１６ｂ）と、を備えた装置において、
並列に接続された２つの差動増幅器（２８ａ；２８ｂ）を備え、前記２つの差動増幅器（２８ａ；２８ｂ）の入力へ印加された第３の差動信号に基づいて第１の出力には第１の共通モード信号レベル（３３ａ）、第２の出力には第１の共通モード信号レベル（３３ａ）に対して逆転された第２の共通モード信号レベル（３３ｂ）をそれぞれ生成し、かつ前記第１の共通モード信号レベル（３３ａ）を前記第１の回線対（１６ａ）の回線（４６ａ；４６ｂ）へ印加し、前記第２の共通モード信号レベル（３３ｂ）を前記第２の回線対（１６ｂ）の回線へ印加するように実装された差動増幅回路と、
前記第１の回線対（１６ａ）の前記回線（４６ａ；４６ｂ）上と前記第２の回線対（１６ｂ）の前記回線上の共通モード部分を抽出するための、トランスデューサを備えていない抽出回路（３９）と、を備えたことを特徴とする装置。
【請求項２】
前記第１の信号および前記第２の信号を一方向へ伝送し、前記第３の信号を反対方向へ伝送するように実装された出力ドライバ（１４ａ；１４ｂ；２８ａ；２８ｂ）および入力ドライバ（１８ａ；１８ｂ）を備えている請求項１に記載の装置。
【請求項３】
前記抽出回路（３９）は差動増幅器（３８）を含んでいる請求項１又は２に記載の装置。
【請求項４】
前記抽出回路（３９）の前記差動増幅器（３８）は、前記第１の共通モード部分（３３ａ）および前記第２の共通モード部分（３３ｂ）の一部の差を増幅するように実装されている請求項３に記載の装置。
【請求項５】
前記第１の回線対（１６ａ）の前記回線（４６ａ；４６ｂ）は撚られて対になり、前記第２の回線対（１６ｂ）の前記回線も撚られて対になっている請求項１から４のいずれか一項に記載の装置。
【請求項６】
前記第１の回線対（１６ａ）と前記第２の回線対（１６ｂ）の前記回線（４６ａ；４６ｂ）は共通の撚りを含んでいる請求項１から４のいずれか一項に記載の装置。
【請求項７】
第１の差動信号を第１の回線対（１６ａ）を介して伝送するステップと、
第２の差動信号を第２の回線対（１６ｂ）を介して伝送するステップと、を含む信号伝送方法において、
並列に接続された２つの差動増幅器（２８ａ；２８ｂ）を備えた差動増幅回路を用い前記２つの差動増幅器（２８ａ；２８ｂ）の入力へ印加された第３の差動信号に基づいて第１の出力には第１の共通モード信号レベル（３３ａ）、第２の出力には第２の共通モード信号レベル（３３ｂ）を、前記第１の共通モード信号レベル（３３ａ）と前記第２の共通モード信号レベル（３３ｂ）が互いに逆転されているようにそれぞれ生成し、かつ前記第１の共通モード信号レベル（３３ａ）を前記第１の回線対（１６ａ）の回線（４６ａ、４６ｂ）へ印加し、前記第２の共通モード信号レベル（３３ｂ）を前記第２の回線対（１６ｂ）の回線へ印加するステップと、
トランスデューサを備えていない抽出回路（３９）によって、前記第１の回線対（１６ａ）の前記回線（４６ａ；４６ｂ）上および前記第２の回線対（１６ｂ）の前記回線上の共通モード部分を抽出するステップと、を含むことを特徴とする信号伝送方法。
【手続補正２】
【補正対象書類名】明細書
【補正対象項目名】０００６
【補正方法】変更
【補正の内容】
【０００６】
トランスデューサ４４ａ−ｄは、トランスデューサ４４ａ−ｄの一次側において一次側に隣接して配置された通信ポイント１３ａ−ｄから受信した信号を変換し、かつ変換した信号を二次側に配置された回線対１６ａ又は１６ｂへ印加するように実装されている。その結果、印加された信号は、回線対１６ａ又は１６ｂの回線を通ってさらなるトランスデューサ４４ａ−ｄの二次側へ差動的に印加される。さらに、トランスデューサ４４ａ−ｄは、二次側へ印加された差動信号を変換し、かつこれを一次側でトランスデューサ４４ａ−ｄに隣接して配置された通信ポイント１３ａ−ｄに与えるように実装されているので、通信ポイント１３ａ−ｄはこの与えられた信号を受信する。通信ポイント１３ａ−ｅは、信号を送信又は受信するように実装されている。
【手続補正３】
【補正対象書類名】明細書
【補正対象項目名】０００８
【補正方法】変更
【補正の内容】
【０００８】
ファントムチャネル２６’は、２つのトランスデューサ４４ｅおよび４４ｆを含み、これらは、それぞれのトランスデューサ４４ｅ又は４４ｆの二次側の巻き端がチャネル１２’ａおよび１２’ｂのトランスデューサ４４ａ−ｄのそれぞれの二次側の捲回中心へ結合されので、トランスデューサ４４ｅの二次側の第１の巻き端はトランスデューサ４４ａの二次側の捲回における中央タップを形成し、トランスデューサ４４ｅの二次側の第２の巻き端はトランスデューサ４４ｃの二次側の捲回における中央タップを形成する。トランスデューサ４４ｂおよび４４ｄとトランスデューサ４４ｆとの結合は、トランスデューサ４４ａおよび４４ｃとトランスデューサ４４ｅとの結合と対称をなす。
【手続補正４】
【補正対象書類名】明細書
【補正対象項目名】００２４
【補正方法】変更
【補正の内容】
【００２４】
図１は２つのチャネル１２ａと１２ｂを有する装置１０を示し、それらの２つのチャネルのそれぞれは出力ドライバ１４ａ又は１４ｂと、差動回線対１６ａ又は１６ｂと、入力ドライバ１８ａ又は１８ｂとを含んでいる。第１の差動回線対１６ａは通信ポイント１３ａからの第１の信号を通信ポイント１３ｂへ伝送するように実装され、第２の差動回線対は通信ポイント１３ｃからの第２の差動信号を通信ポイント１３ｄへ伝送するように実装されている。
【手続補正５】
【補正対象書類名】明細書
【補正対象項目名】００２５
【補正方法】変更
【補正の内容】
【００２５】
出力ドライバ１４ａ又は１４ｂはそれぞれ、終端抵抗器２４ａおよび２４ｂ又は２４ｃおよび２４ｄを駆動する演算増幅器の形式の差動電流ドライバ２２ａ又は２２ｂを含む。出力ドライバ１４ａおよび１４ｂは通信ポイント１３ａ又は１３ｃの出力を駆動し、かつ通信ポイント１３ａ又は１３ｃから受信した信号を変換、例えば増幅又は平滑化して、それをそれぞれの回線対１６ａ又は１６ｂへ印加するように実装されている。
【手続補正６】
【補正対象書類名】明細書
【補正対象項目名】００２９
【補正方法】変更
【補正の内容】
【００２９】
差動チャネル１２ａ又は１２ｂのチャネル品質は依然として影響を受けない。というのは、差動増幅器の形式である入力ドライバ１８ａおよび１８ｂが、出力ドライバ１４ａ又は１４ｂにより回線対１６ａ又は１６ｂの回線へ印加された差動信号とファントムチャネルの共通モード信号レベルとの分離を、単に回線対１６ａ又は１６ｂの２回線間の差分を増幅することによって共通モードを抑制するように実行するからである。第１又は第２の共通モード信号レベル３３ａ又は３３ｂによるオフセットは、それぞれの差動信号の信号レベルの差に影響せず、入力ドライバ１８ａおよび１８ｂにおいて除外される。これは差動チャネル１２ａおよび１２ｂにおいてファントムチャネル２６を抑制することであり、これにより追加的なエコーの消去が不必要になる。
【手続補正７】
【補正対象書類名】明細書
【補正対象項目名】００３０
【補正方法】変更
【補正の内容】
【００３０】
ファントムチャネル２６の受信機側には抽出回路３９が配置されており、抽出回路３９は２つの抵抗分割器３６ａ、３６ｂ、差動増幅器３８、および抵抗分割器３６ａ、３６ｂの出力を差動増幅器３８の入力へ接続する２つの回線４０ａ、４０ｂを備えている。抽出回路３９は、ファントムチャネルを介して伝送された信号を抽出し、かつチャネル１２ａと１２ｂの差動信号を抑制するように実装されている。差動増幅器３８は、抵抗分割器３６ａと３６ｂの出力から与えられた電位の差を増幅するように実装され、抵抗分割器３６ａは差動回線対１６ａの回線間に配置され、抵抗分割器３６ｂは差動回線対１６ｂの回線間に配置されている。抵抗分割器３６ａの出力信号と抵抗分割器３６ｂの出力信号は、ファントムチャネル２６の差動増幅器３８の第１と第２の入力へ印加される。
【手続補正８】
【補正対象書類名】明細書
【補正対象項目名】００３２
【補正方法】変更
【補正の内容】
【００３２】
出力において、入力ドライバ３８は通信ポイント１３ｅの入力へ結合されているので、通信ポイント１３ｅはファントムチャネル２６を介して伝送された信号を受信し、かつ通信ポイント１３ｅの入力を駆動するように実装されている。ファントムチャネル２６の情報伝送方向は差動チャネル１２ａと１２ｂの情報伝送方向の反対であるので、ファントムチャネル２６はチャネル１２ａと１２ｂに対する戻りチャネルを形成する。
【国際調査報告】
2016519543.tif 000006
2016519543.tif 000007
2016519543.tif 000008
2016519543.tif 000009
2016519543.tif 000010
2016519543.tif 000011